(57)【要約】      （修正有）【課題】椅子に座った状態で揺動機能及び回転機能を有し、脳にインパクトを与えることにより、脳が活性化すると共に、揺動椅子を回転台を分離できるため、運搬が楽であり、移動して使用できる脳活性化訓練装置を提供する。【解決手段】脳活性化訓練装置１は、揺動椅子２と回転台３とより構成される。揺動椅子２は、座板２ａ、背板２ｂ、肘掛け２ｃ、脚部２ｄより形成され、脚部２ｄは支脚２ｄ１と円弧状の脚片２ｄ２により構成されてなるものである。回転台３は、基台３ａと円盤状の回転体３ｂとより構成され、回転体３ｂの内部にモーター等の駆動具を入れることもでき、回転体３ｂの上面両側には、断面溝型のレール３ｃ１を設けると共に、中央上部に着脱自在なピン等によるストッパー３ｃ２を設けた支持具を設けてなるものである。【選択図】図１
0003148818.tif 000002
【実用新案登録請求の範囲】
【請求項１】
揺動椅子の脚部を回転台に取り付けてなることを特徴とする脳活性化訓練装置。
【請求項２】
揺動椅子の脚部を回転台に着脱自在に設けるべく、支持具を形設してなることを特徴とする請求項１記載の脳活性化訓練装置。
【請求項３】
支持具が、回転台に設けたレールとストッパーで構成されてなることを特徴とする請求項２記載の脳活性化訓練装置。
【請求項４】
支持具が、揺動椅子の脚部に設けた支持孔と、回転台に設けた突片にて構成されることを特徴とする請求項２記載の脳活性化訓練装置。
【請求項５】
回転台が、水平方向に回転することを特徴とする請求項１、２、３又は４記載の脳活性化訓練装置。
【請求項６】
支持具に、揺動椅子を斜状に形成すべく、段差部を設けてなることを特徴とする請求項２、３、４又は５記載の脳活性化訓練装置。
【請求項７】
揺動椅子に、足置部を設けてなることを特徴とする請求項１、２、３、４、５又は６記載の脳活性化訓練装置。
【考案の詳細な説明】
【技術分野】
【０００１】  本考案は、体を制御しようとする運動神経（反射神経）等に刺激を与えることにより、主に軽度の認知症の改善等の脳の活性化を行うことのできる脳活性化訓練装置に関するものである。
【背景技術】
【０００２】  従来の技術として、ハイバック仕様の背もたれと、座面と、前記背もたれの左右端部から前側下方に斜めに配置された硬鋼線からなる一対の脚部と、これら脚部の下部が固定されたＵ字状の台座とを備えたことを特徴とするロッキングチェアがある。（特許文献１参照）【０００３】  また、別の従来技術として、（イ）座部下面または受部上面の一方に凸部を設ける。（ロ）凸部の頂上部が、座部および座部に接合する部材と着座者の総重量の重心下の中央領域になるように設ける。（ハ）受部と座部を弾性体で結合する。以上のごとく構成された揺動椅子がある。（特許文献２参照）
【特許文献１】  特開２００１−４６１６８号公報
【特許文献２】  特開２００５−５８７１９号公報
【考案の開示】
【考案が解決しようとする課題】
【０００４】  上記前者においては、脚部がバネ構造になって、揺らすと振り子のようになり、高齢者や痴呆症患者にスージング効果を与えることを主目的にしているものであり、本考案のような回転機能（斜状機能）がなく、よって、脳活性までの効果は期待できない。【０００５】  また、上記後者においては、使用者が安らぎを得られると同時に、腰痛の防止にも効果があるものであるが、これもまた、回転機能（斜状機能）がなく、本考案のような効果は期待できない。【０００６】  本考案は、椅子に座った状態で揺動機能及び回転機能（斜状機能）を有し、脳にインパクトを与えることにより、脳が活性化すると共に、揺動椅子を回転台を分離できるため、運搬が楽であり、移動して使用できるものである。
【課題を解決するための手段】
【０００７】  本考案は、上記の目的を達成するために、揺動椅子の脚部を回転台に取り付けてなる。
また、揺動椅子の脚部を回転台に、着脱自在に設けるべく、支持具を形設してなる。
そして、支持具が、レール（支持孔）とストッパー（突片）で構成されてなる。
さらに、回転台が、水平方向に回転する。
さらにまた、支持具に、揺動椅子を斜状に形成すべく、段差部を設けてなる。
そしてまた、揺動椅子に、足置部を設けてなることを特徴とする。
【考案の効果】
【０００８】１）、揺動椅子の脚部を回転台に取り付けることにより、揺動機能と回転機能を有し、例えば、認知症の方に揺動椅子に座っていただき、揺動運動（反射神経が目覚める）にて脳の活性度（例えば、記憶や計算等）をチェックし、本人の活性度を見ながら回転運動（反射神経が目覚める）を加えることができ、日常生活で体験できない動きを付加することにより脳を活性させることができる。
つまり、座るという行動は、脳が覚醒している状態であり、インパクトを与えやすい。
２）、揺動椅子を回転台に着脱自在に取り付けることにより、他の場所への移動が楽であると共に、揺動椅子はロッキングチェアーとして、また、回転台はツイスト（ウエストを引き締める等）の美容機器として使用できる。
３）、支持具が、レールとストッパーで構成することにより、横ズレを防止すると共に、回転台から外れることなく、安全に安心して使用できる。
４）、支持具が、支持孔と突片とにより構成されることにより、揺動椅子を回転台の上方より突片に支持孔を挿入するだけで簡単に取り付けられる。
５）揺動椅子の前後運動と、回転台の水平回転運動を組合せ、単純な動きから複雑な動きまで、使用者のレベル（活性度）により変化させて使用できる。
６）、段差部を設けることにより、使用者を斜状に揺動させることにより、より一層脳にインパクトを与えることができる。
７）、足置部を設けることにより、安定感があり、スタート時に安心して使用できる。
【考案を実施するための最良の形態】
【０００９】  脳活性化訓練装置１は、揺動椅子２と回転台３とより構成される。
揺動椅子２は、座板２ａ、背板２ｂ、肘掛け２ｃ、脚部２ｄより形成され、脚部２ｄは支脚２ｄ１と円弧状の脚片２ｄ２により構成されてなるものである。
回転台３は、基台３ａと円盤状の回転体３ｂとより構成され、回転体３ｂの内部にモーター等の駆動具を入れ、自動的に回転させることも一考である。
回転体３ｂの上面両側には、断面溝型のレール３ｃ１・３ｃ１を設けると共に、中央上部に着脱自在なピン等によるストッパー３ｃ２を設けた支持具３ｃを設けてなるものである。【００１０】  上記脳活性化訓練装置１の使用例について述べる。
まず、使用者Ｓが揺動椅子２に座る。この時、必要に応じて肘掛け２ｃ間にベルト（図示せず）を取り付けるものとする。
この状態で、使用者Ｓ（高齢者や認知症の方等）の方と相談（気分の変化等）しながら前後に揺動させる。
このとき、介護者（図示せず）と使用者Ｓとの間で、会話をすることが大切で、特に気分が悪くなったときは中止し、楽しければ揺動の大きさや回転を増す。
次に、体に一層刺激を与えるため、回転台３の回転体３ｂを回転させる。
この時、単に回転させる場合と、揺動椅子２の揺動との組み合わせ等、使用者Ｓと相談しながら行うことにより、脳の活性化をも図るものである。【００１１】  一例として、８０代の女性の方で５年前より左半身不随で、中度の認知症の方に対して、１日２〜３分の揺動（回転）を２〜３回行い３日後に、九九のテストを行ったところ、間違いが０になったケース（以前はよく間違えていた）があった。
よって、何らかの脳の活性化があったものと思われる。【００１２】  つぎに、他の実施例を説明する。
脳活性化訓練装置２１は、上記と同様な揺動椅子２２の脚片２２ｄ２の中央付近に設けた長孔状の支持孔２３ｃ１と、回転台２３の回転体３ｂの２箇所に設けた突片２３ｃ２とにより支持具２３ｃを構成してなるもので、突片２３ｃ２に支持孔２３ｃ１を挿入することにより、揺動椅子２２を回転台２３に簡単に取り付けることができる。【００１３】  また、脳活性化訓練装置３１は、上記と同様な揺動椅子３２の脚片３２ｄ２の先端に足置部３ｅを架設してなると共に、回転台３３のレール３３ｃ１・３３ｃ１の左側前方にテーパー状の段差部４ｅを設け、右側後方に同じくテーパー状の段差部４ｆを設けてなるもので、位置が変更できるよう着脱自在に形成するのも一考である。【００１４】  この脳活性化訓練装置３１は、揺動椅子３２を前後に揺動することにより、脚片３２ｄ２が段差部４ｅ・４ｆに乗り上げ、座板３２ａが斜状に形成され、より複雑な動きをするものである。【００１５】  上記実施例において、揺動椅子及び回転台の形状等は同様な機能を有するものであれば特に限定しない。
また、支持具も同様な機能を有するものであれば、他の形態も考えられる。
さらに、認知症の方のみならず、若者や健康な方にも使用できるもので、予防医療的にも有効なものである。
【図面の簡単な説明】
【００１６】
【図１】  本考案の第１実施例を示す脳活性化訓練装置の側面図。
【図２】  本考案の第１実施例を示す脳活性化訓練装置の正面図。
【図３】  本考案の第１実施例を示す脳活性化訓練装置の使用状態の側面図。
【図４】  本考案の第１実施例を示す脳活性化訓練装置の使用状態の正面図。
【図５】  本考案の第２実施例を示す脳活性化訓練装置の側面図。
【図６】  本考案の第２実施例を示す脳活性化訓練装置の要部の平面図。
【図７】  本考案の第３実施例を示す脳活性化訓練装置の側面図。
【図８】  本考案の第３実施例を示す脳活性化訓練装置の正面図。
【符号の説明】
【００１７】１−−−脳活性化訓練装置
２−−−揺動椅子
２ａ−−座板
２ｂ−−背板
２ｃ−−肘掛け
２ｄ−−脚部
２ｄ１−支脚
２ｄ２−脚片
２ｅ−−足置部
３−−−回転台
３ａ−−基台
３ｂ−−回転体
３ｃ−−支持具
３ｃ１−レール（支持孔）
３ｃ２−ストッパー（突片）
３ｅ−−段差部
３ｆ−−段差部
Ｓ−−−使用者
【図１】
0003148818.tif 000003
【図２】
0003148818.tif 000004
【図３】
0003148818.tif 000005
【図４】
0003148818.tif 000006
【図５】
0003148818.tif 000007
【図６】
0003148818.tif 000008
【図７】
0003148818.tif 000009
【図８】
0003148818.tif 000010